(57)【特許請求の範囲】
【請求項１】
梱包する物品に側方から嵌める本体(1)と、これを補強する補強体(2)とから成り、本体(1)は、外側板(3)の下端に両側部をあけて底板(4)及び内側板(5)を順次連設し、底板(4)から外側板(3)と内側板(5)とを対向するように起立させ、外側板(3)及び内側板(5)の両側端にそれぞれ外端板(6)及び内端板(7)を連設し、外端板(6)と内端板(7)とを対向するように折り曲げて、一対の溝状凹部(13)を形成すると共に、外端板(6)と内端板(7)の上端間に端蓋片(8)を渡して保形したものとし、補強体(2)は、中背板(21)の両側端に翼板(22)を連設して、中背板(21)から両翼板(22)を対向するようにコ字状に折り曲げたものとし、本体(1)と補強体(2)とを、互いのスリット(5a,22a)の差し込みにより噛み合わせて、翼片(22)を外側板(3)と内側板(5)とに渡し、物品の天板に底板(4)を載せ、物品の起立壁を溝状凹部(13)に差し込むようにした段ボール製緩衝材。
【請求項２】
前記外側板(3)と内側板(5)の上端間に蓋板(10)を渡して、蓋板(10)の先端から延びる折曲片(11)を下方へ折り曲げ、折曲片(11)と補強体(2)とを、互いのスリット(11a,22b)の差し込みにより噛み合わせるようにした請求項１に記載の段ボール製緩衝材。
【請求項３】
前記外側板(3)の両側部及び外端板(6)を底板(4)よりも下方へ延長して、物品の天板の隅部を覆うガード部(12)を形成した請求項１又は２に記載の段ボール製緩衝材。
【発明の詳細な説明】
【技術分野】
【０００１】
この発明は、洗面化粧台等、システムキッチン等、天板の後部に起立壁を有する大型物品の包装に適した段ボール製緩衝材に関するものである。
【背景技術】
【０００２】
従来、洗面化粧台の輸送・保管時における梱包構造として、下記特許文献１には、図７に示すように、洗面化粧台Ｓの下部及び上部にトレー状の段ボール製キャップ５１，５２を被せると共に、その四隅に紙管の保護支柱５３を立設し、洗面化粧台Ｓの天板ｔと上部のキャップ５２との間に、洗面化粧台Ｓの天板ｔと起立壁ｗの段差を埋めるため、段ボール箱状のスペーサ５４を介在させて、バンド掛けするものが記載されている。
【０００３】
また、洗面化粧台Ｓの天板ｔは、一般に破損しやすい陶器製であり、木製やプラスチック板製のキャビネットｃより前方へ突出しているため、キャップ５１，５２の前部には、スポンジや綿等のクッション材を内蔵した突出部５１ａ，５２ａを設けて、天板ｔの前部を重点的に保護するようにしている。
【先行技術文献】
【特許文献】
【０００４】
【特許文献１】特開２００５−２９７９８０号公報
【発明の概要】
【発明が解決しようとする課題】
【０００５】
しかしながら、上記のような梱包構造では、長尺で不安定な４本の保護支柱５３を直立状態に保持しつつ、上部のキャップ５２を被せる作業が難しいという問題がある。
【０００６】
また、梱包材料に段ボールと紙管とを用いるため、コストがかかるという問題がある。
【０００７】
そこで、この発明は、段ボールを折り曲げた緩衝材により、緩衝性及び耐圧強度を確保しつつ、梱包作業性を改善することを課題とする。
【課題を解決するための手段】
【０００８】
上記課題を解決するため、この発明に係る段ボール製の緩衝材は、梱包する物品に側方から嵌める本体と、これを補強する補強体とから成り、本体は、外側板の下端に両側部をあけて底板及び内側板を順次連設し、底板から外側板と内側板とを対向するように起立させ、外側板及び内側板の両側端にそれぞれ外端板及び内端板を連設し、外端板と内端板とを対向するように折り曲げて、一対の溝状凹部を形成すると共に、外端板と内端板の上端間に端蓋片を渡して保形したものとし、補強体は、中背板の両側端に翼板を連設して、中背板から両翼板を対向するようにコ字状に折り曲げたものとし、本体と補強体とを、互いのスリットの差し込みにより噛み合わせて、翼片を外側板と内側板とに渡し、物品の天板に底板を載せ、物品の起立壁を溝状凹部に差し込むようにしたのである。
【０００９】
また、前記外側板と内側板の上端間に蓋板を渡して、蓋板の先端から延びる折曲片を下方へ折り曲げ、折曲片と補強体とを、互いのスリットの差し込みにより噛み合わせるようにしたのである。
【００１０】
また、前記外側板の両側部及び外端板を底板よりも下方へ延長して、物品の天板の隅部を覆うガード部を形成したのである。
【発明の効果】
【００１１】
この発明に係る段ボール製緩衝材では、梱包する物品の天板に載る底板と、物品の起立壁を差し込む一対の溝状凹部とを有することから、同一の形状のものを物品に左右両側方から嵌めるだけで、安定して自立し、保形された本体がコ字状の補強体で補強されているので、優れた緩衝性及び耐圧強度を有する梱包構造とすることができる。
【００１２】
また、本体に蓋板を設け、その先端の折曲片を補強体に噛合させると、形態がさらに安定し、緩衝性が向上する。
【００１３】
また、外側板の両側部及び外端板を下方へ延長したガード部により、物品の天板の隅部を覆うと、破損しやすい天板の保護性が向上する。
【図面の簡単な説明】
【００１４】
【図１】この発明の実施形態に係る段ボール製緩衝材の使用態様を示す斜視図
【図２】同上の緩衝材の本体と補強体の組立過程を示す分解斜視図
【図３】同上の緩衝材の本体と補強体の噛合状態を示す斜視図
【図４】同上の緩衝材の組立状態を内側から示す斜視図
【図５】同上の緩衝材の組立状態を外側から示す斜視図
【図６】同上の緩衝材のブランクを示す図
【図７】従来の洗面化粧台の梱包構造を示す分解斜視図
【発明を実施するための形態】
【００１５】
以下、この発明の実施形態を添付図面に基づいて説明する。
【００１６】
図１に示すように、この緩衝材Ｐは、洗面化粧台Ｓの上部に左右両側方から嵌めるのものであり、図２に示すように、１個の本体１と３個の補強体２とから構成される。本体１及び補強体２は、図６に示すような厚手の段ボール製ブランクから形成される。
【００１７】
本体１のブランクでは、外側板３の下端に両側部をあけて底板４及び内側板５が順次連設され、外側板３及び内側板５の両側端にそれぞれ折曲抵抗を軽減する切目入りのリード罫を介し外端板６及び内端板７が連設されている。
【００１８】
外端板６の上端には、端蓋片８及び折曲片９が連設され、内端板７の上部には、先広がりの係合片７ａが、折曲片９には係合穴９ａがそれぞれ設けられている。また、内端板７の先端には係止突起７ｂが、外側板３の両側部には、両側端から間隔をあけて係止穴３ａがそれぞれ設けられている。
【００１９】
外側板３の上端には、底板４及び内側板５の幅に対応して、蓋板１０及び折曲片１１が順次連設され、内側板５及び折曲片１１には、補強体２に噛合するスリット５ａ，１１ａがそれぞれ先端から入れられている。
【００２０】
外側板３の両側部及び外端板６は、外側板３と底板４の境界よりも下方へ延長され、その延長部分にガード部１２が形成されている。また、底板４には、内側板５への切込により、２つの足片４ａが延設されている。
【００２１】
一方、補強体２のブランクでは、中背板２１の両側端に折曲抵抗を軽減する切目入りのリード罫を介し翼板２２が連設され、翼板２２の下端及び上端には、スリット２２ａ，２２ｂがそれぞれ入れられている。翼板２２のスリット２２ａより外側部分は、内側部分よりも下端が短くなっている。
【００２２】
また、本体１及び補強体２のブランクでは、段ボールの強度が大きい段目方向が上下方向に向けられている。
【００２３】
このような本体１及び補強体２のブランクから緩衝材Ｐを組み立てるには、図２に示すように、まず、本体１のブランクにおいて、底板４から外側板３と内側板５とを対向するように起立させる。このとき、足片４ａが内側板５から突出する。
【００２４】
次に、外端板６と内端板７とを対向するように折り曲げ、係止突起７ｂを係止穴３ａに係合させて、一対の溝状凹部１３を形成する。
【００２５】
その後、端蓋片８を外端板６から内端板７へ渡すように折り曲げ、折曲片９を内端板７の内面に沿うように折り曲げて、係合片７ａを係合穴９ａに押し込むと、本体１の基本的な組立形状が維持される。
【００２６】
また、３個の補強体２のブランクにおいて、中背板２１から両翼板２２を対向するようにコ字状に折り曲げる。
【００２７】
そして、図３に示すように、本体１に各補強体２を上方から挿入し、内側板５のスリット５ａと翼板２２の下部のスリット２２ａとを相互に差し込んで、本体１と各補強体２とを噛み合わせる。この状態では、中背板２１が外側板３の内面に沿い、翼板２２が外側板３と内側板５とに渡り、翼板２２の先端部が内側板５から突出した状態となる。
【００２８】
最後に、図４及び図５に示すように、蓋板１０を外側板３から内側板５へ渡すように折り曲げ、折曲片１１のスリット１１ａと翼板２２の上部のスリット２２ｂとを相互に差し込むと、緩衝材Ｐの組み立てが完了する。
【００２９】
このように組み立てた緩衝材Ｐを使用して、洗面化粧台Ｓを梱包する際には、トレー状の段ボール製キャップに洗面化粧台Ｓの底部を挿入し、洗面化粧台Ｓの天板ｔの側縁部に底板４を載せ、洗面化粧台Ｓの起立壁ｗの側縁部を溝状凹部１３に差し込むと、緩衝材Ｐは、底板４及び足片４ａが天板ｔに接し、支えておかなくても安定して自立する。
【００３０】
また、緩衝材Ｐは、溝状凹部１３を両側部に設けたことから、同一形状のものを洗面化粧台Ｓの左右両側に兼用できる。
【００３１】
その後、洗面化粧台Ｓの起立壁ｗ及び緩衝材Ｐの上部に、上下反転したトレー状の段ボール製キャップを被せ、上下のキャップに亘りポリプロピレン等のバンドを掛けて結束すると、梱包が完了する。
【００３２】
このように梱包すると、洗面化粧台Ｓの左右両側部に嵌めた緩衝材Ｐは、保形された本体１がコ字状の補強体２で補強されているので、紙管の保護支柱を使用しなくても、段積みに耐え得る優れた耐圧強度を有し、緩衝性にも優れた梱包構造とすることができる。
【００３３】
また、洗面化粧台Ｓの天板ｔは、一般にぶつけると割れやすい陶器製であり、木製やプラスチック板製のキャビネットｃから多少前方へ張り出しているが、外側板３の両側部及び外端板６を下方へ延長したガード部１２により、洗面化粧台Ｓの天板ｔの隅部が覆われて保護され、鋭いエッジとなった段ボールの端縁が洗面化粧台Ｓに当接することもないので、洗面化粧台Ｓを傷つけることなく、施工現場へ輸送することができる。
【００３４】
なお、上記実施形態では、端蓋片８を外端板６から延出したが、端蓋片８は、内端板７から延出し、その先端側を外端板６に係止するようにしてもよい。
【００３５】
また、補強体２を内側板５のスリット５ａに差し込むようにしたが、補強体２は、内外逆向けにして、外側板３に設けたスリットに差し込むようにしてもよく、この場合、蓋板１０は、外側板３からではなく、内側板５から延出するようにするとよい。
【００３６】
また、蓋板１０を省略してもよく、この場合、補強体２の中背板２１を本体１の外側に位置させ、翼板２２を外側板３及び内側板５の両方に設けたスリットに差し込んで、本体１と補強体２とを噛み合わせてもよい。
【００３７】
さらに、本体１には、外側板３の下半部、底板４及び内側板５の下半部にスリットを入れ、補強体２には、上半部にスリットを入れて、本体１のスリットに下方から補強体２のスリットを差し込むようにしても、梱包時には、本体１及び補強体２が共に洗面化粧台Ｓの天板ｔに載置されるので、補強体２が下方へ抜け落ちることがない。
【符号の説明】
【００３８】
Ｐ  緩衝材
１  本体
２  補強体
３  外側板
３ａ  係止穴
４  底板
４ａ  足片
５  内側板
５ａ  スリット
６  外端板
７  内端板
７ａ  係合片
７ｂ  係止突起
８  端蓋片
９  折曲片
９ａ  係合穴
１０  蓋板
１１  折曲片
１１ａ  スリット
１２  ガード部
１３  溝状凹部
２１  中背板
２２  翼板
２２ａ，２２ｂ  スリット
Ｓ  洗面化粧台
ｔ  天板
ｗ  起立壁
ｃ  キャビネット
【図１】
0005511617.tif 000002
【図２】
0005511617.tif 000003
【図３】
0005511617.tif 000004
【図４】
0005511617.tif 000005
【図５】
0005511617.tif 000006
【図６】
0005511617.tif 000007
【図７】
0005511617.tif 000008